(57)【要約】      （修正有）【課題】組立構造物の骨組みとなるエクステリア用品としてのトラス筋ジョイント器具に関し、低コストにて簡易に組み立てられるようにする。【解決手段】直方体の各面に連結用の嵌合凹部が穿設された接続体２と、三角形状に配置されその頂部の上端筋３ｂと下部の下端筋３ｃとが波形のラチス筋で接続されて成り、前記接続体にその長手方向の片端部が嵌合されて接続されるトラス筋５とで構成されているトラス筋ジョイント器具１とするものである。【選択図】図４
0003148304.tif 000002
【実用新案登録請求の範囲】
【請求項１】
直方体の各面に連結用の嵌合凹部が穿設された接続体と、三角形状に配置されその頂部の上端筋と下部の下端筋とが波形のラチス筋で接続されて成り前記接続体にその長手方向の片端部が嵌合されて接続されるトラス筋とで構成されていること、
を特徴とするトラス筋ジョイント器具。
【請求項２】
接続体の少なくとも隣接する３面には、トラス筋を４方向に向けて配置する嵌合・接続用の連結孔が設けられていること、
を特徴とする請求項１に記載のトラス筋ジョイント器具。
【請求項３】
連結孔は、テーパー状に穿孔されていること、
を特徴とする請求項２に記載のトラス筋ジョイント器具。
【請求項４】
トラス筋同士が、当該トラス筋間に斜めに架設された斜補強部材で引っ張られて補強されていること、
を特徴とする請求項１乃至３のいずれかに記載のトラス筋ジョイント器具。
【考案の詳細な説明】
【技術分野】
【０００１】
本考案は、例えば、三角形型のトラス筋を接合用の器具で立体的に接合して、任意の商品として、例えば、簡易な小屋、温室、藤棚、車庫、イベント用の屋根、玩具、その他の構造物等を構成することのできるトラス筋ジョイント器具に関するものである。
【背景技術】
【０００２】
従来、組立式の構造物における基本ブロックとして、例えば、特許文献１に示すような、屋根部骨組の最小単位となる四角状ブロックを形成し、この最小単位ブロックを間口方向及び奥行き方向に連設することで、任意のサイズの屋根部骨組を構築して、組立式骨組膜構造物を構築可能とするものが知られている。また、特許文献２に示すように、所定寸法の平面内多角形、楕円形などの包絡線を形成して複数本の鉄筋などが並列配置されて組み立てられる主筋と、前記組立状態の主筋に摺接外挿可能な平面内に投影される多角形などに加工された鉄筋等の突き合わせ部が溶接して固着された屈曲閉鎖型フープとからなるトラス形成筋とそのトラス形成方法が知られている。
【特許文献１】特開２００７−２６２８７８号公報
【特許文献２】特開２００８−０１９５８０号公報
【考案の開示】
【考案が解決しようとする課題】
【０００３】
しかし、上記特許文献１，２に示すような構造物において、いずれも、接合部が複雑な構造であってその部品点数が多くコストが嵩み部品管理も容易ではない。三角形状のトラス筋を使用し、接合方法も容易にしたものは見当たらない。本考案に係るトラス筋ジョイント器具は、このような課題を解決するために提案されたものである。
【課題を解決するための手段】
【０００４】
本考案に係るトラス筋ジョイント器具の上記課題を解決して目的を達成するための要旨は、直方体の各面に連結用の嵌合凹部が穿設された接続体と、三角形状に配置されその頂部の上端筋と下部の下端筋とが波形のラチス筋で接続されて成り前記接続体にその長手方向の片端部が嵌合されて接続されるトラス筋とで構成されていることである。
【０００５】
前記接続体の少なくとも隣接する３面には、トラス筋を４方向に向けて配置する嵌合・接続用の連結孔が設けられていることを含むものである。
【０００６】
また、前記連結孔は、テーパー状に穿孔されていること、更に、前記トラス筋同士が、当該トラス筋間に斜めに架設された斜補強部材で引っ張られて補強されていることである。
【考案の効果】
【０００７】
本考案のトラス筋ジョイント器具によれば、直方体の接続体にトラス筋を任意に差し込
んで接合させ、組立構造体を簡単に且つ容易に組み立てることができる。また、このジョイント器具の部品点数も少なく、その管理も容易である。
【考案を実施するための最良の形態】
【０００８】
本考案に係るトラス筋ジョイント器具１は、図１に示すように、直方体の各面２ａ，２ｂ，  …  ２ｆに連結用の嵌合凹部２ｇが穿設された接続体２と、三角形状に配置されその頂部３ａの上端筋３ｂと下部の下端筋３ｃとが波形のラチス筋４で接続されて成り、前記接続体２に長手方向の片端部５ａが嵌合されて接続されるトラス筋５で構成されている。
【０００９】
前記接続体２は、直方体であるが、通常は、図１に示すように、各辺の長さ（一例として１２ｃｍ程度）が等しい立方体である。また、この接続体２は、その材質として、例えば、硬質ゴム、硬質プラスチック、金属、木製とするものである。
【００１０】
更に、前記接続体２の少なくとも隣接する３面には、トラス筋５を４方向に向けて配置する嵌合・接続用の連結孔２ｇが設けられている。この実施例では、６面全部に前記連結孔２ｇが設けられている。この連結孔２ｇは、図１（Ｃ）に示すように、テーパー状に穿孔されている。前記トラス筋５を接続体２の各面２ａ  …  ２ｆにおいて、４方向に向けて配置するとは、図３に示すように、一つの面２ａにおいて説明すると、連結孔２ｇの内、外側の４箇所の孔ｂ，ｃ，ｄ，ｆと、内側の４箇所の孔ａ，ｅ，ｇ，ｈとにおいて、
(1)三角形配置となる孔ａ，ｂ，ｃにトラス筋５の上端筋３ｂと下端筋３ｃ，３ｃを挿入して連結する場合（図３に示す状態）、
(2)三角形配置となる孔ｂ，ｄ，ｅにトラス筋５の上端筋３ｂと下端筋３ｃ，３ｃを挿入して連結する場合、
(3)三角形配置となる孔ｃ，ｆ，ｇにトラス筋５の上端筋３ｂと下端筋３ｃ，３ｃを挿入して連結する場合、
(4)三角形配置となる孔ｄ，ｆ，ｈにトラス筋５の上端筋３ｂと下端筋３ｃ，３ｃを挿入して連結する場合、の様にトラス筋５の三角形の頂点と底辺とを面の中央部を中心にして４方向に向けて、連結孔２ｇに片端部５ａを連結した場合を言うものである。
【００１１】
前記トラス筋５は、図２（Ａ）〜（Ｃ）に示すように、正三角形の位置に主鋼棒３ｂ，３ｃ，３ｃを配置して、これらを波形のラチス筋４で溶接して固着してなるものである。材質は、棒鋼（溶融亜鉛メッキ、または、防錆塗装したもの）、ステンレス棒鋼などである。前記主鋼棒３ｂ，３ｃの両端部はフリーとして、接続端としている。このトラス筋５の全体長さは、例えば、５０ｃｍ、１００ｃｍ、〜３００ｃｍなどの各種の長さを用意するものである。このトラス筋５は、三角形状に組まれて強度的にも強いものである。
【００１２】
上記接続体２にトラス筋５を任意に接続して、図４に示すように、立体的構成物のユニットにして組み立てる。これらを任意に組み立てることで、図５（Ａ）に示すように、簡易な小屋、温室、藤棚、車庫、イベント用の屋根、玩具、などの骨組みとしての立体的構造物ができるものである。
【００１３】
前記立体的構造物の強度を高めるために、前記トラス筋５同士が、当該トラス筋５間に斜めに架設された斜補強部材、例えば、図５（Ａ），（Ｂ），（Ｃ）に示すようなターンバックル６など、で引っ張られて補強される。このターンバックル６を接続体２，２の各面２ａ間に連結させる場合には、図５（Ｃ）に示すように、前記面２ａの連結孔に対応した貫通孔を有する金属製等の補強板７をボルト等で取り付けて、この補強板７，７にタンーンバックル６を連結して引っ張るようにする。これにより、構造物全体の強度が増し、安全に使用できるようになるものである。
【図面の簡単な説明】
【００１４】
【図１】本考案に係るトラス筋ジョイント器具１における接続体２の斜視図（Ａ）、同平面図（Ｂ）、同一部を断面にして示す正面図（Ｃ）である。
【図２】同本考案のトラス筋ジョイント器具１におけるトラス筋５の斜視図（Ａ）、正面図（Ｂ）、側面図（Ｃ）である。
【図３】同接続体２の２ａ面において、トラス筋５を４方向に向けて接続することの説明図である。
【図４】同本発明に係るトラス筋ジョイント器具１の一つの形態の斜視図である。
【図５】同トラス筋ジョイント器具１によって立体的構造物を組み立てる様子の一例を示す説明図（Ａ）、ターンバックル６の正面図（Ｂ）、ターンバックル６を各面２ａ間に接続する場合の説明図（Ｃ）である。
【符号の説明】
【００１５】
１          トラス筋ジョイント器具、
２          接続体、                  ２ａ，２ｂ，…  ２ｆ      面、
２ｇ        連結孔、
３ａ        頂部、                    ３ｂ                      上端筋、
３ｃ        下端筋，
４          ラチス筋、
５          トラス筋、                ５ａ                      片端部、
６          ターンバックル、
７          補強板。
【図１】
0003148304.tif 000003
【図２】
0003148304.tif 000004
【図３】
0003148304.tif 000005
【図４】
0003148304.tif 000006
【図５】
0003148304.tif 000007